(57)【要約】【課題】  弱階層サービスによる番組を出力している場合に、その受信状態が悪化したときに、ユーザにストレスを与えずに出来るだけ同じ番組を自動的に出力することを目的とする「地上波ディジタル放送受信機及び階層切り替え方法」を提供する。【解決手段】  弱階層サービスによる番組Ａを出力している場合に、弱階層サービスの受信状態が悪化したときに、弱階層サービスの番組情報及び強階層サービスの番組情報を比較して、弱階層サービス及び強階層サービスの番組情報が同一のときには、強階層サービスによる番組Ａを出力するようにしているので、弱階層サービスと強階層サービスとで同じ番組Ａを放送している場合には、ユーザは、階層サービスを選択する必要がなくなり、ストレスのない視聴を行うことができる。【選択図】        図３
2006050540.tif 000002
【特許請求の範囲】
【請求項１】
同一チャンネル内で弱階層サービスによる番組及び強階層サービスによる番組が存在する地上波ディジタル放送を受信する地上波ディジタル放送受信機であって、
前記地上波ディジタル放送の電波を受信するアンテナと、
前記アンテナに接続されており、所望のチャンネルに合致する受信周波数を設定して、そのチャンネルの放送信号を受信するチューナと、
前記チューナからの信号を入力し、ＯＦＤＭ復調するＯＦＤＭ復調部と、
前記ＯＦＤＭ復調部によりＯＦＤＭ復調された音声ストリームをデコードして音声信号を出力するオーディオデコーダ部と、
前記ＯＦＤＭ復調部によりＯＦＤＭ復調された映像ストリームをデコードして映像信号を出力するビデオデコーダ部と、
前記ＯＦＤＭ復調部によりＯＦＤＭ復調されたデータストリームから前記弱階層サービスによる番組の番組情報及び前記強階層サービスによる番組の番組情報を抽出するデータデコーダ部と、
前記弱階層サービスによる番組の受信状態を調べ、その結果に応じて前記弱階層サービスによる番組の音声信号及び映像信号、又は、前記強階層サービスによる番組の音声信号及び映像信号を前記オーディオデコーダ部及び前記ビデオデコーダ部から選択的に出力するように制御を行う制御部とを備え、
前記制御部は、前記弱階層サービスによる番組の音声信号及び映像信号が前記オーディオデコーダ部及び前記ビデオデコーダ部から出力されている場合に、前記弱階層サービスによる番組の受信状態が悪化したと判断したときに、受信状態が悪化する前の前記弱階層サービスの番組情報と前記強階層サービスの番組情報とが一致するか否かを調べ、両者が一致すると判断した場合には、前記強階層サービスによる番組の音声信号及び映像信号を前記オーディオデコーダ部及び前記ビデオデコーダ部から出力させることを特徴とする地上波ディジタル放送受信機。
【請求項２】
メニュー情報に基づいてメニュー画像を生成するメニュー画像生成部を備え、
受信状態が悪化する前の前記弱階層サービスの番組情報と前記強階層サービスの番組情報とが一致すると前記制御部が判断した場合には、前記制御部は、受信状態が悪化した旨を示すメッセージと前記強階層サービスに切り替える旨を示すメッセージとを含むメニュー情報を生成して前記メニュー画像生成部に出力し、前記メニュー画像生成部から前記メニュー画像を出力させることを特徴とする請求項１に記載の地上波ディジタル放送受信機。
【請求項３】
メニュー情報に基づいてメニュー画像を生成するメニュー画像生成部を備え、
受信状態が悪化する前の前記弱階層サービスの番組情報と前記強階層サービスの番組情報とが一致しないと前記制御部が判断した場合には、前記制御部は、受信状態が悪化した旨を示すメッセージと前記強階層サービスによる番組に関する情報と前記強階層サービスに切り替えるための操作メニューとを含むメニュー情報を生成して前記メニュー画像生成部に出力し、前記メニュー画像生成部から前記メニュー画像を出力させることを特徴とする請求項１に記載の地上波ディジタル放送受信機。
【請求項４】
前記メニュー画像生成部から出力されたメニュー画像に基づいて、強階層サービスに切り替える操作が行われた場合に、前記制御部は、前記強階層サービスによる番組の音声信号及び映像信号を前記オーディオデコーダ部及び前記ビデオデコーダ部から出力させることを特徴とする請求項３に記載の地上波ディジタル放送受信機。
【請求項５】
前記弱階層サービスによる番組の受信状態が悪化して前記強階層サービスによる番組の音声信号及び映像信号が前記オーディオデコーダ部及び前記ビデオデコーダ部から出力されている場合に、前記弱階層サービスによる番組の受信状態が良好になったと前記制御部が判断したときに、前記制御部は、弱階層サービスによる番組の音声信号及び映像信号を前記オーディオデコーダ部及び前記ビデオデコーダ部から出力させることを特徴とする請求項１乃至請求項４の何れか一項に記載の地上波ディジタル放送受信機。
【請求項６】
前記弱階層サービスによる番組の受信状態が悪化して前記強階層サービスによる番組の音声信号及び映像信号が前記オーディオデコーダ部及び前記ビデオデコーダ部から出力されている場合に、前記弱階層サービスによる番組の受信状態が良好になったと前記制御部が判断したときに、前記制御部は、受信状態が良好になった旨を示すメッセージと前記弱階層サービスによる番組に関する情報と前記弱階層サービスに切り替えるための操作メニューとを含むメニュー情報を生成して前記メニュー画像生成部に出力し、前記メニュー画像生成部から前記メニュー画像を出力させることを特徴とする請求項２乃至請求項４の何れか一項に記載の地上波ディジタル放送受信機。
【請求項７】
前記メニュー画像生成部から出力されたメニュー画像に基づいて、弱階層サービスに切り替える操作が行われた場合に、前記制御部は、前記弱階層サービスによる番組の音声信号及び映像信号を前記オーディオデコーダ部及び前記ビデオデコーダ部から出力させることを特徴とする請求項６に記載の地上波ディジタル放送受信機。
【請求項８】
前記弱階層サービスによる番組の受信状態が悪化して前記強階層サービスによる番組の音声信号及び映像信号が前記オーディオデコーダ部及び前記ビデオデコーダ部から出力されている場合に、前記弱階層サービスによる番組の受信状態が良好になったと前記制御部が判断したときに、前記弱階層サービスによる番組に関する情報に基づいて前記弱階層サービスによる番組を選択可能に表示するためのメニュー画像を生成するメニュー画像生成部を備えたことを特徴とする請求項１に記載の地上波ディジタル放送受信機。
【請求項９】
前記メニュー画像生成部から出力されたメニュー画像に基づいて、前記番組を選択する操作が行われた場合に、前記制御部は、選択された番組の音声信号及び映像信号を前記オーディオデコーダ部及び前記ビデオデコーダ部から出力させることを特徴とする請求項８に記載の地上波ディジタル放送受信機。
【請求項１０】
同一チャンネル内で弱階層サービスによる番組及び強階層サービスによる番組が存在する地上波ディジタル放送の電波を受信し、前記弱階層サービスによる番組の音声信号及び映像信号、又は、前記強階層サービスによる番組の音声信号及び映像信号をオーディオデコーダ部及びビデオデコーダ部から選択的に出力する地上波ディジタル放送受信機における階層切り替え方法であって、
前記弱階層サービスによる番組の音声信号及び映像信号が出力されているか否かを調べる第１のステップと、
前記第１のステップにて、前記弱階層サービスによる番組の音声信号及び映像信号が出力されている場合に、前記電波に含まれる前記弱階層サービスによる番組の番組情報及び前記強階層サービスによる番組の番組情報を取得する第２のステップと、
前記弱階層サービスによる番組の受信状態を調べる第３のステップと、
前記第３のステップにて前記弱階層サービスによる番組の受信状態が悪化したと判断された場合に、受信状態が悪化する前に前記第２のステップにて取得した前記弱階層サービスによる番組の番組情報と前記強階層サービスによる番組の番組情報とが一致するか否かを調べる第４のステップと、
前記第４のステップにて、両者が一致すると判断された場合には、前記強階層サービスによる番組の音声信号及び映像信号を前記オーディオデコーダ部及び前記ビデオデコーダ部から出力させる第５のステップとを備えた階層切り替え方法。
【請求項１１】
前記第３のステップにて、前記弱階層サービスによる番組の受信状態が悪化した場合に、受信状態が悪化した旨を示すメッセージと前記強階層サービスに切り替える旨を示すメッセージとを含むメニュー画像を出力する第６のステップを備えた請求項１０に記載の階層切り替え方法。
【請求項１２】
前記第４のステップにて、両者が一致しないと判断された場合には、受信状態が悪化した旨を示すメッセージと前記強階層サービスによる番組に関する情報と前記強階層サービスに切り替えるための操作メニューとを含むメニュー画像を出力する第７のステップを備えた請求項１１に記載の階層切り替え方法。
【請求項１３】
前記第７のステップにて出力されたメニュー画像に基づいて、強階層サービスに切り替える操作が行われた場合に、前記強階層サービスによる番組の音声信号及び映像信号を前記オーディオデコーダ部及び前記ビデオデコーダ部から出力させる第８のステップを備えた請求項１０に記載の階層切り替え方法。
【請求項１４】
前記第５のステップにて、前記強階層サービスによる番組の音声信号及び映像信号が前記オーディオデコーダ部及び前記ビデオデコーダ部から出力されている場合に、前記弱階層サービスによる番組の受信状態を調べる第９のステップと、
前記第９のステップにて前記弱階層サービスによる番組の受信状態が良好になったと判断された場合に、弱階層サービスによる番組の音声信号及び映像信号を前記オーディオデコーダ部及び前記ビデオデコーダ部から出力させる第１０のステップとを備えた請求項１０乃至請求項１３の何れか一項に記載の階層切り替え方法。
【請求項１５】
前記第５のステップにて、前記強階層サービスによる番組の音声信号及び映像信号が前記オーディオデコーダ部及び前記ビデオデコーダ部から出力されている場合に、前記弱階層サービスによる番組の受信状態を調べる第１１のステップと、
前記第１１のステップにて、前記弱階層サービスによる番組の受信状態が良好になったと判断された場合に、受信状態が良好になった旨を示すメッセージと前記弱階層サービスによる番組に関する情報と前記弱階層サービスに切り替えるための操作メニューとを含むメニュー画像を出力する第１２のステップとを備える請求項１０乃至請求項１３の何れか一項に記載の階層切り替え方法。
【請求項１６】
前記第１２のステップにて出力されたメニュー画像に基づいて、弱階層サービスに切り替える操作が行われた場合に、前記弱階層サービスによる番組の音声信号及び映像信号を前記オーディオデコーダ部及び前記ビデオデコーダ部から出力させる第１３のステップを備えた請求項１５に記載の階層切り替え方法。
【請求項１７】
前記第５のステップにて、前記強階層サービスによる番組の音声信号及び映像信号が前記オーディオデコーダ部及び前記ビデオデコーダ部から出力されている場合に、前記弱階層サービスによる番組の受信状態を調べる第１１のステップと、
前記第１１のステップにて、前記弱階層サービスによる番組の受信状態が良好になったと判断された場合に、前記弱階層サービスによる番組に関する情報に基づいて前記弱階層サービスによる番組を選択可能に表示するためのメニュー画像を出力する第１２のステップとを備えた請求項１０乃至請求項１３の何れか一項に記載の階層切り替え方法。
【請求項１８】
前記第１２のステップにて出力されたメニュー画像に基づいて、前記番組を選択する操作が行われた場合に、選択された番組の音声信号及び映像信号を前記オーディオデコーダ部及び前記ビデオデコーダ部から出力させる第１３のステップを備えた請求項１７に記載の階層切り替え方法。
【発明の詳細な説明】
【技術分野】
【０００１】
本発明は、同一のチャンネル内で強階層サービス及び弱階層サービスが存在する地上波ディジタル放送を受信する地上波ディジタル放送受信機及び階層切り替え方法に関するものである。
【背景技術】
【０００２】
日本国内では、地上波テレビ放送のディジタル化が進められており、２０１１年には全国で地上波ディジタル放送が実施され、アナログ波を停波する予定となっている。地上波ディジタル放送では、一つのチャンネルを１３のセグメントに分割して放送されており、１３セグメントは最大３個の階層で構成されている。階層の呼称は、その階層が受信可能なＣ／Ｎ比（Carrier to Noise ratio：搬送波電力対雑音電力比）の高さにより、受信するのに最も低いＣ／Ｎ比を必要とする階層が強階層、次に高いＣ／Ｎ比を必要とする階層が中階層、最も低いＣ／Ｎ比を必要とする階層が弱階層と呼ばれている。地上波ディジタル放送では、セグメント単位で異なる変調方式を設定でき、これにより複数の番組を同一帯域内で異なるビットレートや誤り耐性で伝送することが可能となる。従って、固定受信向けの弱階層サービスと移動受信向け及び携帯受信向けの強階層サービスとを同時に提供することができる。
【０００３】
そのため、地上波ディジタル放送では、マルチパス干渉に強い周波数分割多重方式の一つであるＯＦＤＭ（Orthogonal Frequency Division Multiplexing：直交周波数分割多重）を採用している。ＯＦＤＭは、周波数軸上に狭帯域の搬送波を複数並べ、各搬送波にデータを振り分けて伝送している。これにより、移動受信時にマルチパス干渉によって一部の搬送波の波形が乱れても、その周波数を使用して伝送するデータに誤りが発生するだけで、他の搬送波からのデータにより補正可能となる。
【０００４】
また、家庭向けのテレビ受信機等が高精細画質（例えばＨＤＴＶ：High Definition TV）の受信を実現するために、地上波ディジタル放送では、１３セグメントのうちの１２セグメントを高精細画質の受信に使用し、高速にデータを伝送することが可能な６４値ＱＡＭ等の変調方式を採用している。一方、移動受信機や携帯受信機等の小型のアンテナしか装備できない受信機に対しては、安定した受信を実現するため簡易画質による放送を行い、１３セグメントのうちの１セグメントを使用して、ＱＰＳＫ等の変調方式を採用している。ここで、１２セグメントを使用して受信する場合には、弱階層の高いＣ／Ｎ比を必要とし、１セグメントを使用して受信する場合には、強階層の低いＣ／Ｎ比を必要とする。
【０００５】
また、地上波ディジタル放送では、一つの電波帯、換言すると一つのチャンネルにおいて、高精細画質の放送を行う代わりに、標準画質（例えばＳＤＴＶ：Standard Definition TV）の三つのチャンネル分の放送を行うことができる。放送局では、時間帯により、高精細画質の１チャンネルの放送と標準画質の３チャンネルの放送（マルチ編成）とを切り替えて放送することができる。
【０００６】
ところで、移動受信機や携帯受信機等の受信機でも、ダイバーシティ受信技術を用いることで、１２セグメントの放送による高精細画質の地上波ディジタル放送のコンテンツの受信が可能となる。
【０００７】
また、同一チャンネル内で２以上の階層サービスが存在するディジタル放送において、１以上の階層の受信状態が劣化した場合に、各階層の映像を一画面上に並列表示し、その中から一つを選択して出力する技術が知られている（例えば特許文献１）。
【特許文献１】特開２００２−１７６５９４号公報
【０００８】
しかしながら、特許文献１に記載の技術では、１以上の階層の受信状態が劣化した場合に、一画面上に並列表示されている階層サービスの中から一つを選択することにより階層サービスを切り替えている。そのため、同一チャンネル内の２以上の階層サービスが同じ番組を放送している場合でも、階層サービスを選択しなければならないので、ユーザは選択が面倒になりストレスを感じてしまうという問題があった。
【発明の開示】
【発明が解決しようとする課題】
【０００９】
本発明は、このような問題を解決するために成されたものであり、弱階層サービスによる番組を出力している場合に、その受信状態が悪化したときに、ユーザにストレスを与えずに出来るだけ同じ番組を自動的に出力することを目的とする。
【課題を解決するための手段】
【００１０】
上記した課題を解決するために、本発明では、弱階層サービスによる番組を出力している場合に、弱階層サービス及び強階層サービスの双方について、地上波ディジタル放送の受信信号を復調して得られるデータストリームにより番組情報を取得しておく。そして、弱階層サービスの受信状態が悪化した場合に、直前の弱階層サービスの番組情報と強階層サービスの番組情報とが一致したときには、弱階層サービスから強階層サービスへと階層サービスを切り替え、直前の弱階層サービスの番組情報と強階層サービスの番組情報とが一致しなかったときには、受信状態が悪化した旨を示すメッセージ、強階層サービスにて放送されている番組に関する情報、強階層サービスに切り替えるための操作メニューを含むメニュー画像を提示するようにしている。
【発明の効果】
【００１１】
上記のように構成した本発明によれば、弱階層サービスにて放送されている番組の受信状態が悪化した場合に、強階層サービスで同じ番組が放送されているときのみ階層サービスが自動的に切り替えられるので、弱階層サービスと強階層サービスとで同じ番組を放送している場合には、ユーザは、階層サービスを選択する必要がなくなる。従って、ユーザは、ストレスのない視聴を行うことができる。
【発明を実施するための最良の形態】
【００１２】
以下、本発明による実施形態を図面に基づいて説明する。図１は、本実施形態による地上波ディジタル放送受信機の構成例を示すブロック図である。図１において、１は第１のアンテナであり、２は第２のアンテナである。第１のアンテナ１及び第２のアンテナ２は、地上波ディジタル放送の電波を受信する。
【００１３】
３は第１のチューナであり、第１のアンテナ１に接続されており、第１のアンテナ１によって受信した地上波ディジタル放送の電波から所望のチャンネルに合致した受信周波数の信号を選択的に抽出して出力する。また、４は第２のチューナであり、第２のアンテナ２に接続されており、第２のアンテナ２によって受信した地上波ディジタル放送の電波から所望のチャンネルに合致した受信周波数の信号を選択的に抽出して出力する。
【００１４】
５は第１のＯＦＤＭ復調部であり、第１のチューナ３で受信した信号をＯＦＤＭ復調してトランスポートストリーム（Transport Stream：以下ＴＳと記述する）を得る。６は第２のＯＦＤＭ復調部であり、第２のチューナ４で受信した信号をＯＦＤＭ復調してＴＳを得る。７はダイバーシティ合成部であり、第１のＯＦＤＭ復調部５から入力するＴＳの位相を制御する位相器７ａと、位相を制御されたＴＳと第２のＯＦＤＭ復調部６から入力するＴＳとを合成する合成器７ｂとにより構成されている。
【００１５】
このように、第１のアンテナ１、第２のアンテナ２、第１のチューナ３、第２のチューナ４、第１のＯＦＤＭ復調部５、第２のＯＦＤＭ復調部６を備え、第１のＯＦＤＭ復調部５及び第２のＯＦＤＭ復調部６から出力されたＴＳをダイバーシティ合成部７によりダイバーシティ合成することで、受信性能を向上させて、高精細画質の地上波ディジタル放送のコンテンツを受信することが可能となる。
【００１６】
８は誤り訂正部であり、伝送中に生じる誤りを訂正するためのものである。ここで、誤り訂正部８では、誤り訂正率を算出することが可能であり、この誤り訂正率が所定の値（例えば５０％）を超えた場合に、受信状態が悪化したことを示す情報を後述する制御部１３に出力するようにしている。
【００１７】
９はデマルチプレクサ部であり、多重化されているＴＳを分離して弱階層の映像ストリーム、弱階層の音声ストリーム、弱階層のデータストリーム、強階層の映像ストリーム、強階層の音声ストリーム、強階層のデータストリームを得る。そして、デマルチプレクサ部９は、弱階層のデータストリーム及び強階層のデータストリームを後述するデータデコーダ部１２に出力する。また、デマルチプレクサ部９は、弱階層の音声ストリーム又は強階層の音声ストリームを階層選択信号に応じて後述するオーディオデコーダ部１０に出力する。また、デマルチプレクサ部９は、弱階層の映像ストリーム又は強階層の映像ストリームを階層選択信号に応じて後述するビデオデコーダ部１１に出力する。
【００１８】
ここで、データストリームには、データ放送用の情報ストリーム、特にＥＩＴ（Event Information Table）が含まれている。ＥＩＴには、番組の名称、放送日時、内容の説明などの番組に関する情報が含まれており、番組を識別するための情報であるevent_idにより番組を特定することが可能である。ここで、event_idは請求項の番組情報に該当する。
【００１９】
オーディオデコーダ部１０は、入力した音声ストリームをデコードして音声信号として出力する。ビデオデコーダ部１１は、入力した映像ストリームをデコードして映像信号として出力する。データデコーダ部１２は、入力したデータストリームをデコードして制御部１３に出力する。
【００２０】
制御部１３は、外部に設けたリモートコントローラ等（図示せず）の操作によって入力される制御信号により、第１のチューナ３及び第２のチューナ４が受信するチャンネルを決定し、このチャンネルに合致する受信周波数を設定する。また、制御部１３は、誤り訂正部８から受信状態が悪化したことを示す情報を入力して受信状態の悪化を判断する。また、制御部１３は、データデコーダ部１２からデータ放送用の情報ストリームを入力する。
【００２１】
制御部１３は、誤り訂正部８から受信状態が悪化したことを示す情報を入力すると、受信状態が悪化する前にデータデコーダ部１２から取得したデータ放送用の情報ストリームを参照する。そして、制御部１３は、データデコーダ部１２から入力した情報ストリームに含まれるＥＩＴ中のevent_idを比較して、弱階層サービスの番組のevent_idと強階層サービスの番組のevent_idが同一であるか否かを調べる。
【００２２】
制御部１３にて、両者のevent_idが同一であると判断された場合には、制御部１３は、弱階層サービスから強階層サービスへと切り替えを行う階層選択信号をデマルチプレクサ部９に出力すると共に、受信状態が悪化したことを示すメッセージ及び弱階層サービスから強階層サービスへと切り替えを行うことを示すメッセージを含むメニュー情報を生成してメニュー画像生成部１４へ出力する。一方、制御部１３にて、両者のevent_idが異なると判断された場合には、制御部１３は、受信状態が悪化したことを示すメッセージ、ＥＩＴにより特定される強階層サービスの番組に関する情報（例えば番組名や放送時間、チャンネル名等）、強階層サービスに切り替えるか否かを選択可能とする操作メニューを含むメニュー情報を生成してメニュー画像生成部１４へ出力する。
【００２３】
メニュー画像生成部１４は、制御部１３より入力したメニュー情報に基づいてメニュー画像を生成し、ビデオデコーダ部１１を介して出力する。
【００２４】
次に、本実施形態による地上波ディジタル放送受信機の動作及び階層切り替え方法について、図２〜図４を参照して説明する。図２は、本実施形態による地上波ディジタル放送受信機の動作及び階層切り替え方法を示すフローチャートである。また、図３は、弱階層サービスによる番組の受信状態が悪化した場合に出力される映像の切り替えの例を示す図であり、図４は、弱階層サービスによる番組の受信状態が良好になった場合に出力される映像の切り替えの例を示す図である。
【００２５】
まず、制御部１３は、弱階層サービスにより番組が提供されているか否か、換言すると、弱階層サービスによる番組の音声信号及び映像信号がオーディオデコーダ部１０及びビデオデコーダ部１１より出力されているかを調べる（ステップＳ１）。制御部１３にて、弱階層サービスにより番組が提供されていないと判断された場合には（ステップＳ１にてＮＯ）、ステップＳ１の処理を繰り返す。
【００２６】
一方、図３（ａ）に示すように、制御部１３にて、弱階層サービスにより番組Ａが提供されていると判断された場合には（ステップＳ１にてＹＥＳ）、制御部１３は、弱階層サービスによる番組Ａの受信状態が悪化したか否かを調べる（ステップＳ２）。具体的には、制御部１３は、誤り訂正部８から受信状態が悪化したことを示す情報を入力したか否かを調べることにより受信状態を判断する。ここで、誤り訂正部８は、ダイバーシティ合成部７によりダイバーシティ合成されたＴＳに対して伝送中に生じる誤りを訂正すると共に、誤り訂正率を算出し、誤り訂正率が所定の値を超えたときに、受信状態が悪化したことを示す情報を制御部１３へ出力する。
【００２７】
制御部１３は、誤り訂正部８から受信状態が悪化したことを示す情報を入力しなかった場合には（ステップＳ２にてＮＯ）、ステップＳ２の処理を繰り返す。一方、誤り訂正部８から受信状態が悪化したことを示す情報を入力した場合には（ステップＳ２にてＹＥＳ）、制御部１３は、受信状態が悪化する前にデータデコーダ部１２から取得したデータ放送用の情報ストリームを参照する。そして、制御部１３は、データデコーダ部１２から入力した情報ストリームに含まれるＥＩＴ中のevent_idを比較して、弱階層サービスの番組のevent_idと強階層サービスの番組のevent_idとが同一であるか否かを調べる（ステップＳ３）。
【００２８】
制御部１３にて、両者のevent_idが同一であると判断された場合には（ステップＳ３にてＹＥＳ）、制御部１３は、弱階層サービスから強階層サービスへと切り替えを行う階層選択信号をデマルチプレクサ部９に出力すると共に、受信状態が悪化したことを示すメッセージ及び弱階層サービスから強階層サービスへと切り替えを行うことを示すメッセージを含むメニュー情報を生成してメニュー画像生成部１４へ出力する。メニュー画像生成部１４では、制御部１３から入力したメニュー情報に基づいて、受信状態が悪化したことを示すメッセージ及び弱階層サービスから強階層サービスへと切り替えを行うことを示すメッセージを含むメニュー画像（例えば図３（ｂ）に示す）を生成し、ビデオデコーダ部１１を介して出力する（ステップＳ４）。
【００２９】
一方、制御部１３にて、両者のevent_idが異なると判断された場合には（ステップＳ３にてＮＯ）、制御部１３は、受信状態が悪化したことを示すメッセージ、ＥＩＴにより特定される強階層サービスの番組に関する情報（例えば番組名や放送時間、チャンネル名等）、強階層サービスに切り替えるか否かを選択可能とする操作メニューを含むメニュー情報を生成してメニュー画像生成部１４へ出力する。メニュー画像生成部１４では、受信状態が悪化したことを示すメッセージ、ＥＩＴにより特定される強階層サービスの番組に関する情報、強階層サービスに切り替えるか否かを選択可能とする操作メニューを含むメニュー画像（例えば図３（ｃ）に示す）をビデオデコーダ部１１を介して出力する（ステップＳ５）。
【００３０】
そして、制御部１３では、階層サービスの切り替え操作が行われたか否かを調べる（ステップＳ６）。具体的には、制御部１３は、ビデオデコーダ部１１より例えばモニタ等の表示装置に出力されたメニュー画像に基づいて、強階層サービスに切り替える操作が行われたか否かを調べる。階層サービスの切り替え操作が行われなかった場合には（ステップＳ６にてＮＯ）、受信状態が悪化したままではあるが、弱階層サービスにより受信された番組Ａの出力を継続する。
【００３１】
一方、階層サービスの切り替え操作が行われた場合には（ステップＳ６にてＹＥＳ）、制御部１３は、弱階層サービスから強階層サービスへと切り替えを行う階層選択信号をデマルチプレクサ部９に出力する。
【００３２】
デマルチプレクサ部９では、制御部１３から入力した階層選択信号に基づいて、弱階層サービスによる番組の音声ストリーム及び映像ストリームがオーディオデコーダ部１０及びビデオデコーダ部１１に出力されている状態から、強階層の音声ストリーム及び映像ストリームがオーディオデコーダ部１０及びビデオデコーダ部１１に出力される状態へと移行する。オーディオデコーダ部１０に入力された強階層サービスによる番組の音声ストリームは、デコードされて音声信号として出力され、ビデオデコーダ部１１に入力された強階層サービスによる番組の映像ストリームは、デコードされて映像信号として出力される（ステップＳ７）。ここで、弱階層サービス及び強階層サービスのevent_idが同一である場合、図３（ｄ）に示すように、強階層サービスによる番組Ａが出力される。一方、弱階層サービス及び強階層サービスのevent_idが異なる場合、図３（ｅ）に示すように、強階層サービスによる番組Ｂが出力される。
【００３３】
このように、図４（ａ）に示すような強階層サービスによる番組Ａが出力されている状態、又は、図４（ｂ）に示すような強階層サービスによる番組Ｂが出力されている状態において、制御部１３は、元々受信されていた弱階層サービスによる番組Ａの受信状態が良好になったか否かを調べる（ステップＳ８）。弱階層サービスによる番組Ａの受信状態が良好にならない場合には（ステップＳ８にてＮＯ）、ステップＳ８の処理を繰り返す。
【００３４】
一方、弱階層サービスによる番組Ａの受信状態が良好になった場合には（ステップＳ８にてＹＥＳ）、制御部１３は、データデコーダ部１２から取得したデータ放送用の情報ストリームを参照し、情報ストリームに含まれるＥＩＴ中のevent_idを比較して、弱階層サービスの番組のevent_idと強階層サービスの番組のevent_idとが同一であるか否かを調べる（ステップＳ９）。
【００３５】
制御部１３にて、弱階層サービスの番組のevent_idと強階層サービスの番組のevent_idとが同一であると判断された場合には（ステップＳ９にてＹＥＳ）、制御部１３は、強階層サービスから弱階層サービスへと切り替えを行う階層選択信号をデマルチプレクサ部９に出力すると共に、受信状態が良好になったことを示すメッセージ及び強階層サービスから弱階層サービスへと切り替えを行うことを示すメッセージを含むメニュー情報を生成してメニュー画像生成部１４へ出力する。メニュー画像生成部１４では、制御部１３から入力したメニュー情報に基づいて、受信状態が良好になったことを示すメッセージ及び強階層サービスから弱階層サービスへと切り替えを行うことを示すメッセージを含むメニュー画像（例えば図４（ｃ）に示す）を生成し、ビデオデコーダ部１１を介して出力する（ステップＳ１０）。
【００３６】
一方、制御部１３にて、弱階層サービスの番組のevent_idと強階層サービスの番組のevent_idとが異なると判断された場合には（ステップＳ９にてＮＯ）、制御部１３は、受信状態が良好になったことを示すメッセージ、ＥＩＴにより特定される弱階層サービスの番組に関する情報（例えば番組名や放送時間、チャンネル名等）、弱階層サービスに切り替えるか否かを選択可能とする操作メニューを含むメニュー情報を生成してメニュー画像生成部１４へ出力する。メニュー画像生成部１４では、受信状態が良好になったことを示すメッセージ、ＥＩＴにより特定される弱階層サービスの番組に関する情報、弱階層サービスに切り替えるか否かを選択可能とする操作メニューを含むメニュー画像（例えば図４（ｄ）に示す）をビデオデコーダ部１１を介して出力する（ステップＳ１１）。
【００３７】
そして、制御部１３では、階層サービスの切り替え操作が行われたか否かを調べる（ステップＳ１２）。具体的には、制御部１３は、ビデオデコーダ部１１より例えばモニタ等の表示装置に出力されたメニュー画像に基づいて、弱階層サービスに切り替える操作が行われたか否かを調べる。階層サービスの切り替え操作が行われなかった場合には（ステップＳ１２にてＮＯ）、図４（ｆ）に示すように、強階層サービスにより受信された番組Ｂの出力を継続する。
【００３８】
一方、階層サービスの切り替え操作が行われた場合には（ステップＳ１２にてＹＥＳ）、制御部１３は、強階層サービスから弱階層サービスへと切り替えを行う階層選択信号をデマルチプレクサ部９に出力する。
【００３９】
デマルチプレクサ部９では、制御部１３から入力した階層選択信号に基づいて、強階層サービスによる番組Ａ又は番組Ｂの音声ストリーム及び映像ストリームがオーディオデコーダ部１０及びビデオデコーダ部１１に出力されている状態から、弱階層サービスによる番組Ａの音声ストリーム及び映像ストリームがオーディオデコーダ部１０及びビデオデコーダ部１１に出力される状態へと移行する。そして、図４（ｅ）に示すように、オーディオデコーダ部１０に入力された弱階層サービスによる番組Ａの音声ストリームは、デコードされて音声信号として出力され、ビデオデコーダ部１１に入力された弱階層サービスによる番組Ａの映像ストリームは、デコードされて映像信号として出力される（ステップＳ１３）。
【００４０】
以上詳しく説明したように、本実施形態によれば、弱階層サービスによる番組を出力している場合に、弱階層サービス及び強階層サービスの双方について、地上波ディジタル放送の受信信号を復調して得られるデータストリームにより番組情報を取得しておき、弱階層サービスの受信状態が悪化した場合に、直前の弱階層サービスの番組情報と強階層サービスの番組情報とが一致したときのみ、弱階層サービスから強階層サービスへと階層サービスを自動的に切り替えるようにしている。これにより、ユーザは、弱階層サービスと強階層サービスとで同じ番組を放送している場合には、階層サービスを選択する必要がなくなる。従って、ユーザは、ストレスのない視聴を行うことができる。
【００４１】
また、直前の弱階層サービスの番組情報と強階層サービスの番組情報とが一致しなかったときには、受信状態が悪化した旨を示すメッセージ、強階層サービスにて放送されている番組に関する情報、強階層に切り替える操作メニューを含むメニュー画像を提示するようにしている。これにより、弱階層サービスにて放送されている番組の受信状態が悪化した場合に、強階層サービスで異なる番組が放送されているときには、ユーザは、受信状態が回復するまで他の番組を視聴するか、しないかを選択することができるので、ユーザは自由度のある視聴を行うことができる。
【００４２】
なお、本実施形態において、受信状態の悪化を誤り訂正部８の誤り訂正率により判断しているが、これに限定されない。例えば、第１のチューナ３および第２のチューナ４の受信レベルにて判断するようにしても良い。
【００４３】
また、本実施形態において、弱階層サービスによる番組のevent_idと強階層サービスによる番組のevent_idとが異なる場合に、ユーザの選択によって強階層サービスに切り替えているが、これに限定されない。例えば、ユーザの選択によって他のチャンネルの番組に切り替えるようにしても良い。
【００４４】
また、本実施形態において、弱階層サービスによる番組の受信状態が悪化した場合、弱階層サービスによる番組及び強階層サービスによる番組を含む番組表（例えば、ＥＰＧ（Electronic Program Guide）など）を表示し、ユーザが所望の番組を選択するようにしても良い。
【００４５】
また、本実施形態において、弱階層サービスの番組の受信状態が悪化して強階層サービスによる番組に切り替えられている場合に、弱階層サービスによる番組の受信状態が良好になり、弱階層サービスの番組のevent_idと強階層サービスの番組のevent_idとが同一であると判断されたときには、強階層サービスから弱階層サービスへと切り替えを行うようにしている。一方、同様の状況で弱階層サービスの番組のevent_idと強階層サービスの番組のevent_idとが異なると判断されたときには、受信状態が良好になったことを示すメッセージ、ＥＩＴにより特定される弱階層サービスの番組に関する情報（例えば番組名や放送時間、チャンネル名等）、弱階層サービスに切り替えるか否かを選択可能とする操作メニューを含むメニュー画面を表示するようにしているが、これに限定されない。
【００４６】
例えば、強階層サービスから弱階層サービスへ切り替える場合に、弱階層サービスによる同一チャンネル内の複数の番組の中から一つの番組を選択するためのメニュー画像を表示するようにしても良いし、強階層サービスによる番組及び弱階層サービスによる同一チャンネル内の複数の番組の中から一つの番組を選択するためのメニュー画像を表示するようにしても良い。
【００４７】
具体的には、図５に示すように、弱階層サービスの番組Ａの受信状態が悪化して（図５（ａ））、強階層サービスによる番組Ａに切り替えられている場合に（図５（ｂ））、制御部１３は、以下の制御を行う。制御部１３は、弱階層サービスによる番組の受信状態が良好になったか否かを調べる。そして、受信状態が良好になったときは、制御部１３は、強階層サービスによる番組及び弱階層サービスによる番組に関する情報に基づいて、強階層サービスによる番組又は弱階層サービスによる番組を選択可能に表示するためのメニュー情報を生成してメニュー画像生成部１４に出力する。
【００４８】
ここで、弱階層サービスによる番組としては、複数の番組Ａ，Ｂ，Ｃが存在する。従って、制御部１３では、強階層サービスによる番組Ａ及び弱階層サービスによる複数の番組Ａ，Ｂ，Ｃに関する情報に基づいて、それらの中から一つの番組を選択するためのメニュー情報を生成してメニュー画像生成部１４に出力する。メニュー画像生成部１４は、制御部１３から入力したメニュー情報に基づいてメニュー画像を生成し、出力する（図５（ｃ））。
【００４９】
ここで、メニュー画像は、強階層サービスによる番組Ａ及び弱階層サービスによる複数の番組Ａ，Ｂ，Ｃに関する情報を含む番組表（例えば、ＥＰＧなど）の画像である。なお、図５（ｃ）に示すように、番組表は、現在放送中の番組に加えて、次に放送する番組（強階層サービスによる番組Ｘ及び弱階層サービスによる複数の番組Ｄ，Ｅ，Ｆ）に関する情報を含むようにしても良い。また、強階層サービスの番組Ａ及び弱階層サービスの複数の番組Ａ，Ｂ，Ｃの中から一つの番組を選択するための操作方法としては、番組表の中の所望の番組が記載されている枠に番組の選択枠を移動させて選択することにより行われる。
【００５０】
そして、メニュー画像生成部１４から出力されたメニュー画像に基づいて、例えば、弱階層サービスによる番組Ａを選択する操作が行われたときに、制御部１３は、弱階層サービスによる番組Ａの音声信号及び映像信号をオーディオデコーダ部１０及びビデオデコーダ部１１から出力させる。また、番組を選択する操作が行われなかったときには（例えば、図示しない「戻る」ボタンなどが操作されたときには）、制御部１３は、強階層サービスによる番組Ａの音声信号及び映像信号をオーディオデコーダ部１０及びビデオデコーダ部１１から継続して出力させる。
【００５１】
これにより、弱階層サービスの受信状態が良好となり、強階層サービスから弱階層サービスに切り替える場合に、強階層サービスによる番組及び弱階層サービスによる複数の番組を含む番組表が表示されるので、ユーザは、所望の番組を容易に選択することができる。
【００５２】
なお、このような場合において、制御部１３にてメニュー情報を生成する際に、弱階層サービスによる複数の番組Ａ，Ｂ，Ｃが同一チャンネル１０１内に存在するか否かを調べるようにしても良い。ここで、弱階層サービスによる複数の番組Ａ，Ｂ，Ｃが同一チャンネル１０１内に存在する状態とは、一つのチャンネルにおいて、高精細画質の放送を行う代わりに、標準画質の三つのチャンネル分の放送を行っている状態である。また、同一チャンネル内に複数の番組が存在するか否かは、ＥＩＴにより特定される弱階層サービスの番組に関する情報などに基づいて制御部１３にて判断する。
【００５３】
そして、同一チャンネル内に複数の番組が存在すると制御部１３にて判断した場合には、制御部１３では、強階層サービスによる番組及び弱階層サービスによる複数の番組に関する情報に基づいて、それらの中から一つの番組を選択するためのメニュー情報を生成してメニュー画像生成部１４に出力する。一方、同一チャンネル内に複数の番組が存在しないと制御部１３にて判断した場合には、制御部１３では、弱階層サービスの番組のevent_idと強階層サービスの番組のevent_idとが同一であるか否かを調べる。同一であると制御部１３にて判断したときには、強階層サービスから弱階層サービスへと切り替えを行う。一方、弱階層サービスの番組のevent_idと強階層サービスの番組のevent_idとが異なると制御部１３にて判断したときには、受信状態が良好になったことを示すメッセージ、ＥＩＴにより特定される弱階層サービスの番組に関する情報、弱階層サービスに切り替えるか否かを選択可能とする操作メニューを含むメニュー画像を生成してメニュー画像生成部１４に出力する。
【００５４】
次に、本実施形態による地上波ディジタル放送受信機の変形例の動作及び階層切り替え方法の変形例について、図６を参照して説明する。図６は、本実施形態による地上波ディジタル放送受信機の変形例の動作及び階層切り替え方法の変形例を示すフローチャートである。
【００５５】
まず、制御部１３は、弱階層サービスにより番組が提供されているか否か、換言すると、弱階層サービスによる番組の音声信号及び映像信号がオーディオデコーダ部１０及びビデオデコーダ部１１より出力されているかを調べる（ステップＳ２１）。制御部１３にて、弱階層サービスにより番組が提供されていないと判断された場合には（ステップＳ２１にてＮＯ）、ステップＳ２１の処理を繰り返す。
【００５６】
一方、制御部１３にて、弱階層サービスにより番組Ａが提供されていると判断された場合には（ステップＳ２１にてＹＥＳ）、制御部１３は、弱階層サービスによる番組Ａの受信状態が悪化したか否かを調べる（ステップＳ２２）。具体的には、制御部１３は、誤り訂正部８から受信状態が悪化したことを示す情報を入力したか否かを調べることにより受信状態を判断する。ここで、誤り訂正部８は、ダイバーシティ合成部７によりダイバーシティ合成されたＴＳに対して伝送中に生じる誤りを訂正すると共に、誤り訂正率を算出し、誤り訂正率が所定の値を超えたときに、受信状態が悪化したことを示す情報を制御部１３へ出力する。
【００５７】
制御部１３は、誤り訂正部８から受信状態が悪化したことを示す情報を入力しなかった場合には（ステップＳ２２にてＮＯ）、ステップＳ２２の処理を繰り返す。一方、誤り訂正部８から受信状態が悪化したことを示す情報を入力した場合には（ステップＳ２２にてＹＥＳ）、制御部１３は、受信状態が悪化する前にデータデコーダ部１２から取得したデータ放送用の情報ストリームを参照する。そして、制御部１３は、データデコーダ部１２から入力した情報ストリームに含まれるＥＩＴ中のevent_idを比較して、弱階層サービスの番組のevent_idと強階層サービスの番組のevent_idとが同一であるか否かを調べる（ステップＳ２３）。
【００５８】
制御部１３にて、両者のevent_idが同一であると判断された場合には（ステップＳ２３にてＹＥＳ）、制御部１３は、弱階層サービスから強階層サービスへと切り替えを行う階層選択信号をデマルチプレクサ部９に出力すると共に、受信状態が悪化したことを示すメッセージ及び弱階層サービスから強階層サービスへと切り替えを行うことを示すメッセージを含むメニュー情報を生成してメニュー画像生成部１４へ出力する。メニュー画像生成部１４では、制御部１３から入力したメニュー情報に基づいて、受信状態が悪化したことを示すメッセージ及び弱階層サービスから強階層サービスへと切り替えを行うことを示すメッセージを含むメニュー画像を生成し、ビデオデコーダ部１１を介して出力する（ステップＳ２４）。
【００５９】
一方、制御部１３にて、両者のevent_idが異なると判断された場合には（ステップＳ２３にてＮＯ）、制御部１３は、受信状態が悪化したことを示すメッセージ、ＥＩＴにより特定される強階層サービスの番組に関する情報（例えば番組名や放送時間、チャンネル名等）、強階層サービスに切り替えるか否かを選択可能とする操作メニューを含むメニュー情報を生成してメニュー画像生成部１４へ出力する。メニュー画像生成部１４では、受信状態が悪化したことを示すメッセージ、ＥＩＴにより特定される強階層サービスの番組に関する情報、強階層サービスに切り替えるか否かを選択可能とする操作メニューを含むメニュー画像に示す）をビデオデコーダ部１１を介して出力する（ステップＳ２５）。
【００６０】
そして、制御部１３では、階層サービスの切り替え操作が行われたか否かを調べる（ステップＳ２６）。具体的には、制御部１３は、ビデオデコーダ部１１より例えばモニタ等の表示装置に出力されたメニュー画像に基づいて、強階層サービスに切り替える操作が行われたか否かを調べる。階層サービスの切り替え操作が行われなかった場合には（ステップＳ２６にてＮＯ）、受信状態が悪化したままではあるが、弱階層サービスにより受信された番組Ａの出力を継続する。
【００６１】
一方、階層サービスの切り替え操作が行われた場合には（ステップＳ２６にてＹＥＳ）、制御部１３は、弱階層サービスから強階層サービスへと切り替えを行う階層選択信号をデマルチプレクサ部９に出力する。
【００６２】
デマルチプレクサ部９では、制御部１３から入力した階層選択信号に基づいて、弱階層サービスによる番組の音声ストリーム及び映像ストリームがオーディオデコーダ部１０及びビデオデコーダ部１１に出力されている状態から、強階層の音声ストリーム及び映像ストリームがオーディオデコーダ部１０及びビデオデコーダ部１１に出力される状態へと移行する。オーディオデコーダ部１０に入力された強階層サービスによる番組の音声ストリームは、デコードされて音声信号として出力され、ビデオデコーダ部１１に入力された強階層サービスによる番組の映像ストリームは、デコードされて映像信号として出力される（ステップＳ２７）。
【００６３】
このように、強階層サービスによる番組Ａが出力されている状態において、制御部１３は、元々受信されていた弱階層サービスの受信状態が良好になったか否かを調べる（ステップＳ２８）。弱階層サービスの受信状態が良好にならない場合には（ステップＳ２８にてＮＯ）、ステップＳ２８の処理を繰り返す。
【００６４】
一方、弱階層サービスの受信状態が良好になった場合には（ステップＳ２８にてＹＥＳ）、制御部１３は、データデコーダ部１２から取得したデータ放送用の情報ストリームを参照し、ＥＩＴにより特定される強階層サービスの番組に関する情報（例えば番組名や放送時間、チャンネル名等）及びＥＩＴにより特定される弱階層サービスの複数の番組に関する情報（例えば番組名や放送時間、チャンネル名等）を抽出する。そして、抽出した情報に基づいて、番組表及び番組表の中から一つの番組を選択するための番組の選択枠を生成するためのメニュー情報を生成し、メニュー画像生成部１４に出力する。メニュー画像生成部１４では、制御部１３から入力したメニュー情報に基づいて、番組表及び番組の選択枠を生成し、ビデオデコーダ部１１を介して出力する（ステップＳ２９）。
【００６５】
そして、制御部１３では、番組表に表示された番組の中から一つの番組が選択されたか否かを調べる（ステップＳ３０）。一つの番組が選択されなかったと制御部１３にて判断した場合には（ステップＳ３０にてＮＯ）、ステップＳ２９に戻る。
【００６６】
一方、一つの番組が選択されたと制御部１３にて判断した場合には（ステップＳ３０にてＹＥＳ）、制御部１３は、選択された番組の音声ストリーム及び映像ストリームをオーディオデコーダ部１０及びビデオデコーダ部１１に出力させる（ステップＳ３１）。
【００６７】
また、図７に示すように、弱階層サービスの番組Ａの受信状態が悪化して（図７（ａ））、強階層サービスによる番組Ａに切り替えられている場合に（図７（ｂ））、制御部１３は、以下の制御を行っても良い。制御部１３は、弱階層サービスによる番組の受信状態が良好になったか否かを調べる。そして、弱階層サービスによる複数の番組の中に強階層サービスによる番組Ａと同一のevent_idを持つ番組Ａが存在するか否かを制御部１３にて調べる。強階層サービスによる番組Ａと同一のevent_idを持つ番組Ａが弱階層サービスによる複数の番組の中に存在する場合には、制御部１３は、電波状態が改善した旨を示すメニュー画像を表示させて（図７（ｃ））、弱階層サービスによる番組Ａの音声信号及び映像信号をオーディオデコーダ部１０及びビデオデコーダ部１１から出力させる（図７（ｄ））。
【００６８】
一方、強階層サービスによる番組Ａと同一のevent_idを持つ番組Ａが弱階層サービスによる複数の番組の中に存在しない場合には、制御部１３は、電波状態が改善した旨及び番組表を表示させるか否かを示すメニュー画像を表示させる（図７（ｅ）。そして、番組表を表示させるという操作が行われた場合には、強階層サービスによる番組及び弱階層サービスによる複数の番組を含む番組表を表示させる（図７（ｆ））。ここで、番組表の中から弱階層サービスによる番組ａが選択されると、弱階層による番組ａの音声信号及び映像信号をオーディオデコーダ部１０及びビデオデコーダ部１１から出力させる（図７（ｇ））。
【００６９】
また、図７（ｅ）に示すメニュー画像において番組表を表示させないという操作が行われた場合には、強階層サービスによる番組Ａの音声信号及び映像信号をオーディオデコーダ部１０及びビデオデコーダ部１１から引き続き出力させる（図７（ｈ））。
【００７０】
なお、前述した本実施形態の変形例にて表示される番組表は、弱階層サービスによる複数の番組のみを含むような番組表であっても良い。
【００７１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００７２】
本発明は、受信状態に応じて階層サービスを切り替える地上波ディジタル放送受信機に有用である。
【図面の簡単な説明】
【００７３】
【図１】本実施形態による地上波ディジタル放送受信機の構成例を示すブロック図である。
【図２】本実施形態による地上波ディジタル放送受信機の動作及び階層切り替え方法を示すフローチャートである。
【図３】本実施形態による地上波ディジタル放送受信機の弱階層サービスによる受信状態が悪化した場合に出力される映像の切り替えの例を示す図である。
【図４】本実施形態による地上波ディジタル放送受信機の弱階層サービスによる受信状態が良好になった場合に出力される映像の切り替えの例を示す図である。
【図５】本実施形態による地上波ディジタル放送受信機の弱階層サービスによる受信状態が良好になった場合に出力される映像の切り替えの変形例を示す図である。
【図６】本実施形態による地上波ディジタル放送受信機の変形例の動作及び階層切り替え方法の変形例を示すフローチャートである。
【図７】本実施形態による地上波ディジタル放送受信機の弱階層サービスによる受信状態が良好になった場合に出力される映像の切り替えの他の変形例を示す図である。
【符号の説明】
【００７４】
１    第１のアンテナ
２    第２のアンテナ
３    第１のチューナ
４    第２のチューナ
５    第１のＯＦＤＭ復調部
６    第２のＯＦＤＭ復調部
７    ダイバーシティ合成部
８    誤り訂正部
９    デマルチプレクサ部
１０    オーディオデコーダ部
１１    ビデオデコーダ部
１２    データデコーダ部
１３    制御部
１４    メニュー画像生成部
【図１】
2006050540.tif 000003
【図２】
2006050540.tif 000004
【図３】
2006050540.tif 000005
【図４】
2006050540.tif 000006
【図５】
2006050540.tif 000007
【図６】
2006050540.tif 000008
【図７】
2006050540.tif 000009